(57)【要約】  【課題】  記録媒体に設けたフォルダにどのような画像が収容されているかがパーソナルコンピュータから見て判り易いデジタルカメラを提供する。  【解決手段】  デジタルカメラは、撮影した画像を着脱可能な記録媒体のフォルダに収容する。使用者からの指示に応じて(#200)、指定された画像を(#206)、その画像を収容したフォルダ内の全ての画像を代表する代表画像として定めて、代表画像であることを示す情報を、その画像の画像ファイルのタグに記録する(#208)。パーソナルコンピュータは、記録媒体を検索したときに、前記情報に基づいて代表画像を特定し、フォルダの像に重ねて代表画像を表示する。【選択図】      図６
2006135590.tif 000002
【特許請求の範囲】
【請求項１】
撮影した画像を画像ファイルとして記録媒体に設けたフォルダに収容するデジタルカメラにおいて、
フォルダに収容されているいずれかの画像ファイルの画像を、そのフォルダに収容されている全ての画像ファイルの画像を代表する代表画像として定めて、代表画像であることを示す情報を代表画像の画像ファイルに記録することを特徴とするデジタルカメラ。
【請求項２】
代表画像であることを示す情報を画像ファイルのタグに記録することを特徴とする請求項１に記載のデジタルカメラ。
【請求項３】
使用者からの指示に応じてフォルダに収容されている画像ファイルの画像を並べて表示し、表示する画像に代表画像が含まれていれば、代表画像であることを示す表示を代表画像に加えることを特徴とする請求項１に記載のデジタルカメラ。
【請求項４】
フォルダに収容されている画像ファイルの画像を並べて表示し、表示した画像のいずれかを使用者によって指定されて、指定された画像を代表画像として定めることを特徴とする請求項１に記載のデジタルカメラ。
【請求項５】
フォルダに収容されている複数の画像ファイルの画像をそれぞれ代表画像として定めることを特徴とする請求項１に記載のデジタルカメラ。
【請求項６】
新たに撮影した画像をフォルダに収容されているいずれかの画像ファイルの画像に関連付けて、それらの画像の関連を示す情報を記録媒体に記録する撮影モードを有し、その撮影モードで画像を撮影したときに、新たに撮影した画像の関連付けの対象とした画像を代表画像として定めることを特徴とする請求項１に記載のデジタルカメラ。
【請求項７】
複数のフォルダを記録媒体に設け、フォルダごとに代表画像を定めることを特徴とする請求項１に記載のデジタルカメラ。
【請求項８】
撮影した画像を画像ファイルとして記録媒体に設けたフォルダに収容するデジタルカメラの記録媒体を検索して、記録媒体に設けられているフォルダの像を表示する処理をコンピュータに実行させるプログラムにおいて、
フォルダに収容されているいずれかの画像ファイルに、その画像ファイルの画像がそのフォルダに収容されている全ての画像ファイルの画像を代表する代表画像であることを示す情報が記録されているか否かを判別する第１の処理と、
フォルダに収容されているいずれの画像ファイルにも代表画像であることを示す情報が記録されていなければ、フォルダの像のみを表示し、フォルダに収容されているいずれかの画像ファイルに代表画像であることを示す情報が記録されていれば、フォルダの像に重ねてその画像ファイルの画像を表示する第２の処理
をコンピュータに実行させることを特徴とするプログラム。
【請求項９】
撮影した画像を画像ファイルとして記録媒体に設けたフォルダに収容するデジタルカメラの記録媒体から、画像ファイルをパーソナルコンピュータの記憶媒体に設けたフォルダに取り込むとともに、記憶媒体に設けられているフォルダの像を表示する処理をコンピュータに実行させるプログラムにおいて、
記憶媒体のフォルダに収容されているいずれかの画像ファイルに、その画像ファイルの画像がそのフォルダに収容されている全ての画像ファイルの画像を代表する代表画像であることを示す情報が記録されているか否かを判別する第１の処理と、
フォルダに収容されているいずれの画像ファイルにも代表画像であることを示す情報が記録されていなければ、フォルダの像のみを表示し、フォルダに収容されているいずれかの画像ファイルに代表画像であることを示す情報が記録されていれば、フォルダの像に重ねてその画像ファイルの画像を表示する第２の処理
をコンピュータに実行させることを特徴とするプログラム。
【請求項１０】
第１の処理では、代表画像であることを示す情報が画像ファイルのタグに記録されているか否かを判別することを特徴とする請求項８または請求項９に記載のプログラム。
【請求項１１】
代表画像であることを示す情報が記録されている画像ファイルの数が所定数以下であれば、第２の処理では、それらの画像ファイルの画像を全て表示することを特徴とする請求項８または請求項９に記載のプログラム。
【請求項１２】
代表画像であることを示す情報が記録されている画像ファイルの数が所定数を超えていれば、第２の処理では、それらの画像ファイルのうち所定数の画像ファイルの画像のみを表示して、残りの画像ファイルの数をフォルダの像に対応させて表示することを特徴とする請求項８または請求項９に記載のプログラム。
【請求項１３】
画像ファイルを収容した複数のフォルダが記録媒体に設けられていれば、第２の処理でそれらのフォルダの像を並べて表示することを特徴とする請求項８に記載のプログラム。
【請求項１４】
画像ファイルを収容する複数のフォルダを記憶媒体に設けて、第２の処理でそれらのフォルダの像を並べて表示することを特徴とする請求項９に記載のプログラム。
【発明の詳細な説明】
【技術分野】
【０００１】
本発明は、撮影した画像を画像ファイルとして記録媒体に記録するデジタルカメラ、および、その記録媒体から画像ファイルを読み取るコンピュータ用のプログラムに関する。
【背景技術】
【０００２】
デジタルカメラで撮影した画像をパーソナルコンピュータで再生表示したり編集したりすることが行われている。デジタルカメラは、撮影した画像を表す画像ファイルを生成し、生成した画像ファイルを記録媒体に記録する。パーソナルコンピュータは、デジタルカメラの記録媒体から画像ファイルを読み取るが、画像ファイルの読み取りは、パーソナルコンピュータとデジタルカメラをケーブルで接続して、ケーブルを介して行うこともあれば、記録媒体を着脱可能にして、デジタルカメラから取り外した記録媒体をパーソナルコンピュータに装着して、行うこともある。
【０００３】
デジタルカメラにおいてもパーソナルコンピュータにおいても、画像ファイルはフォルダに収容される。パーソナルコンピュータでは、画像ファイルを収容するフォルダを使用者が作成することが可能であり、使用者は画像ファイルを異なるフォルダに収容することで、画像ファイルを分類して、管理を容易にすることができる。デジタルカメラでは、従来、画像ファイルを収容するフォルダは１つに限られていたが、近年では、記録媒体上に複数のフォルダを設け得るようにして、画像ファイルを収容するフォルダを切り替えられるようにしたものもある。
【０００４】
パーソナルコンピュータでは、ファイルやフォルダを使用者が識別できるようにするために、それらの名前を表示するようにしているが、識別を一層容易にするために、ファイルの像やフォルダの像を表示することも行われている。ファイルの像とフォルダの像は異なる形態で表示され、したがって、使用者はファイルとフォルダを一目で区別することができる。
【０００５】
さらに、パーソナルコンピュータのＯＳ（Operating System）の１つであるＷｉｎｄｏｗｓ（Microsoft社登録商標）ＸＰでは、画像ファイルを収容したフォルダの像に、そのフォルダ内のいずれかの画像ファイルの縮小画像を重ねて表示するようにしている。このように、フォルダの像に重ねてフォルダ内の画像ファイルの画像を表示することで、どのような画像を収容したフォルダであるかが使用者に判り易くなる。フォルダの像に重ねて表示する画像の画像ファイルは使用者が指定することが可能であり、また、同時に４つの画像まで表示することができる。
【０００６】
特開２００３−３３９０１３号では、フォルダの像に重ねて表示する画像を自動的に設定するようにしたコンピュータが開示されている。このコンピュータでは、各画像を再生表示する際にその表示時間を測定しておき、最も表示時間の長い画像をフォルダの像に重ねて表示する画像とする。
【特許文献１】特開２００３−３３９０１３号公報
【発明の開示】
【発明が解決しようとする課題】
【０００７】
使用者によって指定された画像ファイルの画像をフォルダの像に重ねて表示する前述のＯＳの機能は、ケーブルを介して接続したデジタルカメラの記録媒体あるいは直接装着した記録媒体を検索して、記録媒体に設けられているフォルダを示す際にも利用することができる。しかし、画像ファイルをデジタルカメラの記録媒体からパーソナルコンピュータの記憶媒体に移動（または複写）すると、画像ファイルの指定に関する情報は失われ、パーソナルコンピュータのフォルダの像を表示する際には、フォルダ上に画像は表示されなくなる。したがって、フォルダに重ねて画像を表示するためには、画像ファイルを再度指定する必要が生じる。
【０００８】
一般の使用者がデジタルカメラの記録媒体から画像ファイルをパーソナルコンピュータの記憶媒体に移動（または複写）するのは、デジタルカメラの記録媒体から既存の画像ファイルを消去しなければ新たな画像を撮影することができないという場合が多い。このような状況では、画像ファイルの数が多くなっている上、画像を撮影してから長時間が経過していることにより、どのフォルダにどの画像ファイルを収容したかの記憶も曖昧になる。このため、パーソナルコンピュータ上で、フォルダに重ねて表示する画像を決めるためには、多くの画像を表示して内容を調べなければならず、これに長時間を要する。
【０００９】
前述の公報の技術では、コンピュータ上でいずれかの画像ファイルの画像を表示した後は、フォルダの像に重ねて表示する画像が自動的に定まって、便利である。しかしながら、どの画像をフォルダの像に重ねて表示するかの基準とするのは、そのコンピュータ上での表示時間であるため、コンピュータ上で少なくとも１つの画像ファイルの画像を少なくとも１回表示するまでは、フォルダの像に重ねて表示する画像を定めることができない。そのため、デジタルカメラ上で画像を表示していた場合でも、その画像の画像ファイルを記録媒体からコンピュータの記憶媒体に移動させた直後は、フォルダの像に重ねて表示する画像はないことになる。
【００１０】
本発明はこのような問題点に鑑みてなされたもので、記録媒体に設けたフォルダにどのような画像の画像ファイルが収容されているかがパーソナルコンピュータから見て判り易く、しかも、画像ファイルを記録媒体からパーソナルコンピュータに移動した後も、移動後の画像ファイルを収容したフォルダにどのような画像の画像ファイルが含まれているかが判り易いデジタルカメラ、およびパーソナルコンピュータ用プログラムを提供することを目的とする。
【課題を解決するための手段】
【００１１】
上記目的を達成するために、本発明では、撮影した画像を画像ファイルとして記録媒体に設けたフォルダに収容するデジタルカメラは、フォルダに収容されているいずれかの画像ファイルの画像を、そのフォルダに収容されている全ての画像ファイルの画像を代表する代表画像として定めて、代表画像であることを示す情報を代表画像の画像ファイルに記録するものとする。
【００１２】
このデジタルカメラの記録媒体に設けられているフォルダをパーソナルコンピュータで調べる際には、代表画像をフォルダの像に重ねて表示する画像とすることができ、これにより、フォルダにどのような画像の画像ファイルが収容されているかが判り易くなる。しかも、代表画像であることを示す情報は代表画像の画像ファイル自体に記録されるため、その画像ファイルをパーソナルコンピュータに取り込んだ後、その画像ファイルを収容したフォルダの像を表示する際にも、フォルダの像に重ねて代表画像を表示することができる。
【００１３】
代表画像であることを示す情報を画像ファイルのタグに記録するとよい。各種ファイルにはファイルの種類等の所定の情報を記録するためのタグ（ヘッダ）が設けられているから、これを利用することで、特殊な構成の画像ファイルとすることなく、代表画像であることを示す情報を画像ファイル自体に記録することができる。
【００１４】
使用者からの指示に応じてフォルダに収容されている画像ファイルの画像を並べて表示し、表示する画像に代表画像が含まれていれば、代表画像であることを示す表示を代表画像に加えるようにしてもよい。このようにすると、代表画像であるか否かが使用者に判り易くなる。
【００１５】
また、フォルダに収容されている画像ファイルの画像を並べて表示し、表示した画像のいずれかを使用者によって指定されて、指定された画像を代表画像として定めるようにすることができる。このようにすると、使用者は自己の望む画像を代表画像とすることができ、そのための操作も容易である。
【００１６】
フォルダに収容されている複数の画像ファイルの画像をそれぞれ代表画像として定めるようにすることも可能である。複数の画像を代表画像とすることで、パーソナルコンピュータ上でフォルダの像に重ねて表示する画像を複数にすることができるようになり、フォルダに収容されている画像ファイルがどのような画像のものであるかが、一層判り易くなる。
【００１７】
新たに撮影した画像をフォルダに収容されているいずれかの画像ファイルの画像に関連付けて、それらの画像の関連を示す情報を記録媒体に記録する撮影モードを有し、その撮影モードで画像を撮影したときに、新たに撮影した画像の関連付けの対象とした画像を代表画像として定めるようにすることもできる。画像の関連を記録しておくことで、画像のもつ情報伝達の機能を高めることができるようになる。また、同一の画像を新たな複数の画像の関連付けの対象とすることができるから、このような画像を代表画像とすることで、ファイルに収容されている画像ファイルがどのような画像のものであるかが一層判り易くなる。
【００１８】
複数のフォルダを記録媒体に設け、フォルダごとに代表画像を定めるようにすることもできる。複数のフォルダを設けることで、デジタルカメラ上で画像を分類することが可能になり、さらに、フォルダごとに代表画像を定めることで、画像の分類と画像ファイルとの対応が判り易くなる。
【００１９】
前記目的を達成するために、本発明ではまた、撮影した画像を画像ファイルとして記録媒体に設けたフォルダに収容するデジタルカメラの記録媒体を検索して、記録媒体に設けられているフォルダの像を表示する処理をコンピュータに実行させるプログラムは、フォルダに収容されているいずれかの画像ファイルに、その画像ファイルの画像がそのフォルダに収容されている全ての画像ファイルの画像を代表する代表画像であることを示す情報が記録されているか否かを判別する第１の処理と、フォルダに収容されているいずれの画像ファイルにも代表画像であることを示す情報が記録されていなければ、フォルダの像のみを表示し、フォルダに収容されているいずれかの画像ファイルに代表画像であることを示す情報が記録されていれば、フォルダの像に重ねてその画像ファイルの画像を表示する第２の処理をコンピュータに実行させるものとする。
【００２０】
このプログラムに従って動作するパーソナルコンピュータは、デジタルカメラの記録媒体のフォルダに収容されている画像ファイルに代表画像のものが含まれているか否かによって、フォルダの像のみを表示するか、フォルダの像に重ねて代表画像を表示するかを切り替えることができる。使用者は、フォルダの像に重ねて表示される代表画像から、フォルダにどのような画像の画像ファイルが含まれているかを知ることができる。なお、デジタルカメラの記録媒体を検索することは、パーソナルコンピュータとデジタルカメラとを接続して行うことができるし、記録媒体を着脱可能にし、これをパーソナルコンピュータに装着して行うこともできる。
【００２１】
前記目的を達成するために、本発明ではまた、撮影した画像を画像ファイルとして記録媒体に設けたフォルダに収容するデジタルカメラの記録媒体から、画像ファイルをパーソナルコンピュータの記憶媒体に設けたフォルダに取り込むとともに、記憶媒体に設けられているフォルダの像を表示する処理をコンピュータに実行させるプログラムは、記憶媒体のフォルダに収容されているいずれかの画像ファイルに、その画像ファイルの画像がそのフォルダに収容されている全ての画像ファイルの画像を代表する代表画像であることを示す情報が記録されているか否かを判別する第１の処理と、フォルダに収容されているいずれの画像ファイルにも代表画像であることを示す情報が記録されていなければ、フォルダの像のみを表示し、フォルダに収容されているいずれかの画像ファイルに代表画像であることを示す情報が記録されていれば、フォルダの像に重ねてその画像ファイルの画像を表示する第２の処理をコンピュータに実行させるものとする。
【００２２】
このプログラムに従って動作するパーソナルコンピュータは、デジタルカメラの記録媒体から自己の記憶媒体に画像ファイルを取り込んだ後、記憶媒体のフォルダに収容されている画像ファイルに代表画像のものが含まれているか否かによって、フォルダの像のみを表示するか、フォルダの像に重ねて代表画像を表示するかを切り替えることができる。代表画像であることを示す情報は画像ファイル自体に記録されているから、画像ファイルを取り込むことで、代表画像であることを示す情報も自動的に取り込まれる。使用者は、フォルダの像に重ねて表示される代表画像から、フォルダにどのような画像の画像ファイルが含まれているかを知ることができる。
【００２３】
第１の処理では、代表画像であることを示す情報が画像ファイルのタグに記録されているか否かを判別するようにするとよい。代表画像であることを示す情報をタグに記録しておくことで、特殊な構成の画像ファイルとする必要がなくなる。
【００２４】
代表画像であることを示す情報が記録されている画像ファイルの数が所定数以下であれば、第２の処理では、それらの画像ファイルの画像を全て表示するようにするとよい。表示する代表画像の数が多いほど、フォルダにどのような画像の画像ファイルが収容されているかがより判り易くなる。
【００２５】
代表画像であることを示す情報が記録されている画像ファイルの数が所定数を超えていれば、第２の処理では、それらの画像ファイルのうち所定数の画像ファイルの画像のみを表示して、残りの画像ファイルの数をフォルダの像に対応させて表示するようにしてもよい。代表画像が多い場合、一度に全てをフォルダの像に重ねて表示することはできなくなる。このようなときでも、表示していない代表画像の数を表示することで、表示されているものの他にも代表画像があることを、使用者は知ることができる。また、表示されていない画像をフォルダの像に重ねて表示するように、表示を切り替えることも可能となる。
【００２６】
記録媒体を検索するプログラムの場合、画像ファイルを収容した複数のフォルダが記録媒体に設けられていれば、第２の処理でそれらのフォルダの像を並べて表示するようにするとよい。このようにすると、どのフォルダにどのような画像の画像ファイルが収容されているかが判るようになる。
【００２７】
記録媒体からパーソナルコンピュータの記憶媒体に画像ファイルを取り込むプログラムの場合、画像ファイルを収容する複数のフォルダを記憶媒体に設けて、第２の処理でそれらのフォルダの像を並べて表示するようにするとよい。複数のフォルダを設けることで取り込んだ画像ファイルを分類して管理することが容易になり、フォルダの像を並べて表示し、代表画像の画像ファイルを含むフォルダについてはその像に代表画像を表示することで、どのフォルダにどのような画像の画像ファイルが収容されているかが判るようになる。
【発明の効果】
【００２８】
本発明のデジタルカメラでは、いずれかの画像がフォルダ内の全ての画像ファイルの画像を代表する代表画像であることを示す情報を記録媒体に記録しておくため、どのような画像の画像ファイルを収容したフォルダがデジタルカメラの記録媒体にあるかをパーソナルコンピュータで調べることが容易になる。しかも、代表画像であることを示す情報は代表画像の画像ファイル自体に記録するため、その画像ファイルをパーソナルコンピュータに取り込んだ後でも利用可能であり、パーソナルコンピュータ上での画像ファイルやフォルダの管理も容易になる。
【００２９】
また、記録媒体を検索する本発明のプログラムでは、いずれかの画像がフォルダ内の全ての画像ファイルの画像を代表する代表画像であることを示す情報が画像ファイルに記録されているときに、その代表画像をフォルダの像に重ねて表示するため、記録媒体のフォルダにどのような画像の画像ファイルが収容されているかが判り易い。記録媒体から画像ファイルをパーソナルコンピュータの記憶媒体に取り込む本発明のプログラムでは、取り込んだ画像ファイルに代表画像であることを示す情報が記録されているときに、その代表画像をフォルダの像に重ねて表示するため、記憶媒体のフォルダにどのような画像の画像ファイルが収容されているかが判り易い。また、パーソナルコンピュータ自体で代表画像を定め直す必要がなく、画像ファイルやフォルダの管理が容易になる。
【発明を実施するための最良の形態】
【００３０】
以下、本発明の実施形態について図面を参照しながら説明する。第１の実施形態であるデジタルカメラ１の外観を図１に模式的に示す。図１において、（ａ）は斜め前方からの斜視図、（ｂ）は背面図である。デジタルカメラ１は、前面に、内蔵の撮像素子（図２参照）に撮影対象からの光を導く撮像レンズ１１、光学ファインダ前窓１２ａ、セルフタイマーランプ１３、フラッシュ発光部１４を有し、側面に、着脱可能な記録媒体であるメモリカードＭを装着するカードスロット１５、ＵＳＢ／ＡＶ出力端子１６を有する。また、上面に、シャッターレリーズボタン１７、電源ボタン１８、背面に、光学ファインダ後窓１２ｂ、液晶パネルから成る表示部１９を有する。撮像レンズ１１はズームレンズである。
【００３１】
デジタルカメラ１は、画像を撮影しながら撮影した画像を直ちに表示部１９に表示してライブビューを提供することが可能であり、表示部１９はビューファインダーとして機能する。レリーズボタン１７が操作された直後に撮影された画像は、画像ファイルとして、半導体メモリを内蔵した着脱可能なメモリカードＭに記録される。その画像はアフタービューとして表示部１９に少時表示される。また、メモリカードＭに記録されている画像ファイルの画像は、表示部１９に再生表示することができる。なお、メモリカードＭに記録される画像ファイルのタグ（ヘッダ）には、その画像の撮影日時、撮像倍率、露光条件、撮影モード等の撮影に関する情報が記録される。
【００３２】
デジタルカメラ１は、通常の撮影を行う通常撮影モードに加え、アノテーション撮影モード、および、ガイド撮影モードを有する。アノテーション撮影モードは、既に撮影してメモリカードＭに画像ファイルを記録している画像の一部の領域に、注釈として画像を付与するものである。領域を指定した直後に撮影した画像がその領域の注釈となる。また、ガイド撮影モードは、画像の撮影に際して、既に撮影してメモリカードＭに画像ファイルを記録している画像を表示部１９に表示して、新たな画像の撮影の参考にするものである。
【００３３】
なお、アノテーション撮影モードでは、外部の機器でメモリカードＭに画像ファイルが書き込まれた画像、例えば、イメージスキャナで原稿から読み取ってメモリカードＭに画像ファイルを記録した画像を、注釈を付与する画像とすることも可能である。同様に、ガイド撮影モードでも、外部の機器でメモリカードＭに画像ファイルが書き込まれた画像を、参考のために表示する画像とすることができる。
【００３４】
デジタルカメラ１の背面には、これらの３つのモードを指定するための通常撮影ボタン２３、アノテーション撮影ボタン２４、ガイド撮影ボタン２５が設けられている。また、ズームレンズである撮像レンズ１１の焦点距離を指定するためのズームボタン２０、表示部１９に表示した項目を選択するために使用する方向ボタン２１、選択の決定を指示するための決定ボタン２２、および、画像を再生表示する再生モードを指定する再生ボタン２６も設けられている。方向ボタン２１は、それぞれ上下左右を指定する上ボタン、下ボタン、左ボタン、右ボタンを含む。
【００３５】
デジタルカメラ１は、前述のように画像ファイルをメモリカードＭに記録するが、メモリカードＭにフォルダを設けておき、画像ファイルをフォルダに収容する。フォルダは使用者が任意に作成することが可能である。使用者は既に作成されているフォルダの中から所望のものを指定する。別のフォルダが指定されるまで、画像ファイルは指定されているフォルダに記録されていく。
【００３６】
不要になった画像ファイルはメモリカードＭから個別に削除することができるし、全てを一括して削除することもできる。また、フォルダを削除することで、そのフォルダ内の画像ファイルを全て削除することが可能である。
【００３７】
デジタルカメラ１は、各フォルダが収容している全ての画像ファイルの画像を代表する代表画像を定める機能を有しており、使用者は通常撮影モードで撮影した画像の中から所望のものを代表画像として指定することができる。使用者が指定し得る代表画像の数に制約はない。デジタルカメラ１の背面には、代表画像の設定のために使用する代表画像設定ボタン２７が設けられている。
【００３８】
デジタルカメラ１は、アノテーション撮影モードで注釈としての画像を撮影したときは、その注釈を付す画像を代表画像として定める。また、ガイド撮影モードで画像を撮影したときは、参照した画像を代表画像として定める。
【００３９】
代表画像であることを示す情報は、代表画像の画像ファイルのタグに記録する。一般に、ファイルには、そのファイルに関する情報を記録するためのタグが設けられるから、これを代表画像であることを示す情報の記録に利用することで、画像ファイルを特殊な構成とする必要がなくなる。なお、代表画像であることを示す情報を専用のファイルに記録して、代表画像の画像と同じフォルダに収容することもできる。ただし、画像ファイル自体に記録する方が管理が容易である。
【００４０】
アノテーション撮影モードで撮影した注釈としての画像と、その注釈を付与された画像および領域の関連を示した関連付け情報も、画像ファイルのタグに記録する。この関連付け情報は、注釈としての画像および注釈を付与された画像（親画像という）の双方の画像ファイルに記録する。ガイド撮影モードで撮影した画像とその撮影で参照した画像（ガイド画像という）の関連を示した関連付け情報も、画像ファイルのタグに記録する。この関連情報も、双方の画像ファイルに記録する。
【００４１】
なお、アノテーション画像モードで親画像とする画像や、ガイド撮影モードでガイド画像とする画像は、新たに撮影する画像の画像ファイルを収容するために指定されているフォルダに画像ファイルが収容されているものから、使用者が選択する。したがって、アノテーション撮影モードで撮影した画像の画像ファイルやガイド撮影モードで撮影した画像の画像ファイルは、親画像やガイド画像の画像ファイルと同じフォルダに収容される。
【００４２】
デジタルカメラ１の構成を図２に模式的に示す。デジタルカメラ１は、前述の撮影レンズ１１、表示部１９等のほか、撮像素子３１、画像処理部３２、記録部３３、および制御部３５を有する。撮像素子３１は、撮像レンズ１１によって導かれた光を電気信号に変換することで画像を撮影する。画像処理部３２は、撮像素子３１の出力信号を処理して、撮影した画像を表す記録用の画像データと、表示用の画像データを生成する。記録用の画像データは圧縮しておく。記録部３３は、画像データを画像ファイルとしてメモリカードＭに記録し、また、画像の再生表示のために、メモリカードＭから画像ファイルを読み出す。
【００４３】
制御部３５は、ＣＰＵ３５ａおよびメモリ３５ｂを有しており、ＣＰＵ３５ａによりデジタルカメラ１の各部の制御を司る。ＣＰＵ３５ａの制御動作を記したプログラムはメモリ３５ｂに記憶されている。代表画像に関する処理も、メモリ３５ｂに記憶されているプログラムに従ってＣＰＵ３５ａが行う。
【００４４】
操作部２８は、前述のシャッターレリーズボタン１７、電源ボタン１８等の操作部材の総称である。図２では代表画像に関する操作部材のみを表している。
【００４５】
メモリカードＭ上のフォルダ構成を図３に模式的に示す。「ＦＬＤＲＭＡＩＮ」という名前のフォルダの中に、画像ファイルを記録するためのフォルダ（フォルダ名「ＦＬＤＲ０００１」〜「ＦＬＤＲ０００６」）が作成されており、画像ファイル（ファイル名「ＰＩＣＴ０００１．ＪＰＧ」〜「ＰＩＣＴ０００６．ＪＰＧ」が、２つのフォルダに分けて収容されている。
【００４６】
通常撮影モードで画像を撮影し、その画像の画像ファイルを記録する処理の流れを図４に示す。この処理は、通常撮影ボタン２３の操作によって開始される。まず、シャッターレリーズボタン１７の操作により記録用画像の撮影が指示されたか否かを判定する（ステップ＃１００）。指示がなされないときは、画像を撮影し（＃１０２）、撮影した画像を表示部１９に表示して（＃１０４）、ステップ＃１０２に戻る。ステップ＃１０２、＃１０４を繰り返すことでライブビューが提供される。
【００４７】
記録用画像の撮影の指示がなされたときは、画像を撮影し（＃１０６）、撮影した画像を表示し（＃１０８）、撮影した画像の画像ファイルをメモリカードＭに記録する（＃１１０）。ステップ＃１０８の表示を少時継続することで、アフタービューが提供される。なお、図３の処理は、再生モードあるいは他の撮影モードに切り替えられるまで、継続される。
【００４８】
通常撮影モードで撮影した画像の中から、使用者が代表画像を指定するときに、表示部１９に表示する画面の例を図５に示す。図５において、（ａ）は、代表画像設定ボタン２７が操作されたときに表示する画面である。この画面には、画像ファイルを収容するフォルダとしてその時点で設定されているフォルダに収容されている全ての画像が、縮小して並べて表示される。使用者は方向ボタン２１を操作することにより画像を選択し、決定ボタン２２を操作することにより、選択した画像を代表画像として指定することができる。なお、選択されている画像には、選択されていることを示すための枠Ｆを表示する。また、アノテーション撮影モードおよびガイド撮影モードで撮影した画像については、通常撮影モードで撮影した画像とは異なる態様で表示して、代表画像として指定できないことを示す。
【００４９】
図５の（ｂ）は、決定ボタン２２の操作により代表画像が指定されたときに表示する画面である。この画面には指定された代表画像が表示され、この画面の表示は少時（数秒）継続される。図５の（ｃ）は、（ｂ）の表示の後に表示する画面である。（ａ）と同様、フォルダ内の画像が並べて表示されるが、代表画像として指定された画像には、代表画像であることを示す記号Ｓが付加される。
【００５０】
使用者からの指示に応じて代表画像を設定する処理の流れを図６に示す。まず、代表画像設定ボタン２７の操作により、代表画像を設定する指示がなされたか否かを判定し（ステップ＃２００）、指示がなされなければ処理を終了する。指示がなされたときは、図５（ａ）に示した代表画像を指定するための画面を表示し（＃２０２）、通常撮影モードで撮影した画像の画像ファイルがフォルダに含まれているか否かを判定し（＃２０４）、含まれていなければ処理を終了する。
【００５１】
通常撮影モードで撮影した画像の画像ファイルが１つ以上フォルダに含まれているときは、方向ボタン２１および決定ボタン２２の操作による代表画像の指定を受け付けて（＃２０６）、その画像の画像ファイルのタグに代表画像であることを示す情報を記録する（＃２０８）。そして、その画像を図５（ｂ）の如く少時拡大表示した後、表示を図５（ｃ）の如く元に戻し、代表画像として指定された画像に代表画像であることを示す記号Ｓを付加して（＃２１０）、処理を終了する。
【００５２】
アノテーション撮影モードで表示部１９に表示する画面の例を図７に示す。図７において、（ａ）は、アノテーション撮影ボタン２４が操作されたときに表示する画面である。この画面には、画像ファイルを収容するフォルダとしてその時点で設定されているフォルダに収容されている全ての画像が、縮小して並べて表示される。使用者は方向ボタン２１を操作することにより画像を選択し、決定ボタン２２を操作することにより、選択した画像を親画像として指定することができる。なお、選択されている画像には、選択されていることを示すための枠Ｆを表示する。
【００５３】
図７の（ｂ）は、決定ボタン２２の操作により親画像が指定されたときに表示する画面である。この画面には指定された親画像が表示され、親画像に重ねて、注釈を付与する領域を示す枠Ｒが表示される。注釈を付与する領域は、所定の大きさで親画像の中央に設定される。ただし、注釈を付与する領域の大きさおよび位置は、方向ボタン２１および決定ボタン２２の操作により、使用者が任意に変えることができる。図７の（ｃ）は、その様子を表したものである。
【００５４】
図７の（ｄ）は、親画像およびその領域を指定した後、シャッターレリーズボタン１７の操作がなされたときに表示する画面である。この画面には、シャッターレリーズボタン１７の操作に応じて撮影した記録用の画像、すなわち、親画像の注釈とする画像のアフタービューを表示する。
【００５５】
アノテーション撮影モードでの処理の流れを図８に示す。この処理は、アノテーション撮影ボタン２４の操作によって開始される。まず、図７（ａ）に示した親画像を指定するための画面を表示する（ステップ＃３００）。そして、通常撮影モードで撮影した画像の画像ファイルまたは外部機器で記録された画像ファイルがフォルダに含まれているか否かを判定し（＃３０２）、含まれていなければ処理を終了する。
【００５６】
通常撮影モードで撮影した画像の画像ファイルまたは外部機器で記録された画像ファイルがフォルダに含まれているときは、方向ボタン２１および決定ボタン２２の操作による親画像の指定を受け付ける（＃３０４）。そして、図７（ｂ）、（ｃ）に示した領域を設定する画面を表示し（＃３０６）、方向ボタン２１および決定ボタン２２の操作による領域の設定を受け付ける（＃３０８）。
【００５７】
その後、シャッターレリーズボタン１７の操作により記録用画像の撮影が指示されたか否かを判定する（＃３１０）。指示がなされないときは、画像を撮影し（＃３１２）、撮影した画像を表示部１９に表示して（＃３１４）、ステップ＃３１０に戻る。ステップ＃３１２、＃３１４を繰り返すことでライブビューが提供される。
【００５８】
記録用画像の撮影の指示がなされたときは、画像を撮影し（＃３１６）、撮影した画像を表示し（＃３１８）、撮影した画像の画像ファイルをメモリカードＭに記録する（＃３２０）。さらに、撮影した画像が親画像の一部の領域の注釈であることを示す関連付け情報を、撮影した画像と親画像の画像ファイルのタグに記録する（＃３２２）。また、代表画像であることを示す情報を親画像の画像ファイルのタグに記録して（＃３２４）、処理を終了する。ステップ＃３１８の表示を少時継続することで、図７（ｃ）に示したようにアフタービューが提供される。
【００５９】
ガイド撮影モードで表示部１９に表示する画面の例を図９に示す。図９において、（ａ）は、ガイド撮影ボタン２５が操作されたときに表示する画面である。この画面には、画像ファイルを収容するフォルダとしてその時点で設定されているフォルダに収容されている全ての画像が、縮小して並べて表示される。使用者は方向ボタン２１を操作することにより画像を選択し、決定ボタン２２を操作することにより、選択した画像をガイド画像として指定することができる。なお、選択されている画像には、選択されていることを示すための枠Ｆを表示する。
【００６０】
図９の（ｂ）は、ガイド画像を指定した後に表示する画面である。この画面には、ライブビューに重ねて、縮小したガイド画像を表示する。使用者は、ガイド画像を見ながら、新たに撮影する画像の構図等を定めることができる。
【００６１】
ガイド撮影モードでの処理の流れを図１０に示す。この処理は、ガイド撮影ボタン２５の操作によって開始される。まず、図９（ａ）に示したガイド画像を指定するための画面を表示する（ステップ＃４００）。そして、通常撮影モードで撮影した画像の画像ファイルまたは外部機器で記録された画像ファイルがフォルダに含まれているか否かを判定し（＃４０２）、含まれていなければ処理を終了する。
【００６２】
通常撮影モードで撮影した画像の画像ファイルまたは外部機器で記録された画像ファイルがフォルダに含まれているときは、方向ボタン２１および決定ボタン２２の操作によるガイド画像の指定を受け付ける（＃４０４）。そして、指定されたガイド画像を縮小して表示する（＃４０６）。
【００６３】
その後、シャッターレリーズボタン１７の操作により記録用画像の撮影が指示されたか否かを判定する（＃４０８）。指示がなされないときは、画像を撮影し（＃４１０）、撮影した画像を表示部１９に表示して（＃４１０）、ステップ＃４０８に戻る。ステップ＃４１０の表示では、ガイド画像の表示も継続する。ステップ＃４１０、＃４１２を繰り返すことでライブビューが提供され、その一部にガイド画像が重ねて提供される。
【００６４】
記録用画像の撮影の指示がなされたときは、画像を撮影し（＃４１４）、撮影した画像を表示し（＃４１６）、撮影した画像の画像ファイルをメモリカードＭに記録する（＃４１８）。さらに、撮影した画像がガイド画像を参照して撮影したものであることを示す関連付け情報を、撮影した画像とガイド画像の画像ファイルのタグに記録する（＃４２０）。また、代表画像であることを示す情報をガイド画像の画像ファイルのタグに記録して（＃４２２）、処理を終了する。ステップ＃４１６の表示を少時継続することで、アフタービューが提供され、それに重ねて表示されているガイド画像との類否が確認できる。
【００６５】
画像を再生表示する再生モードで表示部１９に表示する画面の例を図１１に示す。図１１において、（ａ）は、再生ボタン２６が操作されたときに表示する画面である。この画面には、画像ファイルを収容するために記録媒体に設けられている全てのフォルダの像Ｄが並べて並べて表示される。また、代表画像の画像ファイルを収容しているフォルダの像には、代表画像が重ねて表示される。使用者は、方向ボタン２１と決定ボタン２２を操作することにより、所望のフォルダを指定することができる。
【００６６】
図１１の（ｂ）は、フォルダが指定された後の画面である。この画面には、指定されたフォルダに収容されている全ての画像が、縮小して並べて表示される。代表画像には、代表画像であることを示す前述の記号Ｓが加えられる。使用者は方向ボタン２１を操作することにより画像を選択し、決定ボタン２２を操作することにより、選択した画像を表示する画像として指定することができる。なお、選択されている画像には、選択されていることを示すための枠Ｆを表示する。図１１の（ｃ）は、指定された画像を表示した画面である。
【００６７】
再生モードでの処理の流れを図１２に示す。この処理は、再生ボタン２６の操作によって開始される。まず、図１１（ａ）に示したフォルダを指定するための画面を表示する（ステップ＃５００）。次いで、フォルダの指定を受け付け（＃５０２）、図１１（ｂ）に示した画像を指定するための画面を表示する（＃５０４）。そして、画像の指定を受け付け（＃５０６）、指定された画像を図１１（ｃ）の如く表示する（＃５０８）。その後、別の画像を表示するか否かの指示を受け付けて（＃５１０）、別の画像を表示する指示があればステップ＃５０８に戻り、その指示がなければ指示を待つ。
【００６８】
別の画像を表示する指示は方向ボタン２１の操作によってなされる。方向ボタン２１のうち、右ボタンはステップ＃５０８で表示している画像よりも１つ後の画像の指定に、また、左ボタンはステップ＃５０８で表示している画像よりも１つ前の画像の指定に用いられる。図１２のステップ＃５１０から＃５０８への分岐は、これらのボタンが操作されたときのものである。方向ボタン２１のうち、上ボタンはフォルダを指定するための画面を表示する指示に、下ボタンは、画像を指定する画面を表示する指示に用いられる。これらのボタンが操作されたときは、それぞれステップ＃５００およびステップ＃５０４に戻る。なお、再生モードはいずれかの撮影モードに設定することにより終了する。
【００６９】
第２の実施形態であるパーソナルコンピュータ２の外観を図１３に模式的に示す。パーソナルコンピュータ２は、演算を行うＣＰＵ、および情報を記憶するメモリ、ハードディスク等の記憶媒体を内蔵した本体４１と、画像、文字等の諸情報を表示する表示部４２とを有する。本体４１には着脱可能なメモリカードＭを装着するカードスロットが設けられている。また、図示しないが、本体４１には、入力操作に使用されるキーボードおよびマウスが接続されている。
【００７０】
パーソナルコンピュータ２の構成を図１４に模式的に示す。パーソナルコンピュータ２は、ＣＰＵを含む制御部４３、マウス、キーボード等を含む操作部４４、半導体メモリ、ハードディスク等の記憶媒体を含む記憶部４５、メモリカードＭの入出力を行う入出力部４６、および、ケーブルを介して外部の機器と接続するための接続部４７を有する。記憶部４５には、パーソナルコンピュータ２の制御を記したプログラムのほか、パーソナルコンピュータ２が行う画像処理を記したプログラムも記憶されている。制御部４３のＣＰＵは、それらのプログラムに従って処理を行う。記憶部４５にはまた、画像も記憶される。記憶部４５に記憶する画像は、第１の実施形態のデジタルカメラ１からメモリカードＭまたはケーブルを介して提供される。
【００７１】
パーソナルコンピュータ２は、ケーブルを介して接続されたデジタルカメラ１に装着されているメモリカードＭおよびカードスロットに装着されたメモリカードＭに、どのようなフォルダおよび画像ファイルが存在するかを検索する機能を有し、また、メモリカードＭから画像ファイルを取り込んで、記憶部４５に記憶する機能を有する。記憶部４５に記憶している画像ファイルは、表示部４２に表示したり、編集したりすることができる。
【００７２】
メモリカードＭに記録されているフォルダおよび画像ファイルを検索する際にパーソナルコンピュータ２が表示部４２に表示する検索画面５０を図１５に示す。なお、この検索画面５０は、メモリカードＭの検索のみならず、記憶部４５に記憶しているフォルダおよびファイルを検索する際にも表示される。検索画面５０には、デバイスおよびフォルダの関係をツリー形式で表したフォルダツリー５１ａを表示するツリー表示領域５１、および、フォルダツリー５１ａ内の指定されたデバイスまたはフォルダに含まれるフォルダ５２ａおよびファイルを表示するフォルダ・ファイル表示領域５２を有する。また、検索画面５０には、代表画像を指定するダイアログボックスを表示するための代表画像指定ボタン５３が表示される。
【００７３】
使用者が、マウスまたはキーボードのキーの操作により、ツリー表示領域５１に表示されているフォルダツリー５１ａ内のデバイスもしくはフォルダ、またはフォルダ・ファイル表示領域５２に表示されているフォルダ５２ａを指定すると、そのデバイスまたはフォルダに収容されているフォルダおよびファイルの像および名前が、フォルダ・ファイル表示領域５２に表示される。
【００７４】
例えば、デジタルカメラ１のメモリカードＭが図３に示したフォルダ構造を有する場合、使用者が、デバイスとしてメモリカードＭを指定すると、「ＦＬＤＲＭＡＩＮ」というフォルダがフォルダ・ファイル表示領域５２に表示され、また、そのフォルダ名がフォルダツリー５１ａにも表示される。さらに、このフォルダを指定すると、その中に含まれている「ＦＬＤＲ０００１」等のフォルダがフォルダ・ファイル表示領域５２に表示され、それらのフォルダ名がフォルダツリー５１ａにも表示される。
【００７５】
画像フォルダに収容されているいずれかの画像ファイルに代表画像であることを示す情報が記録されているときは、フォルダの像に重ねて代表画像の像を表示する。１つのフォルダに複数の代表画像が定められているときは、フォルダの像の上に複数の代表画像を並べて表示する。ただし、１つのフォルダの像の上に多くの画像を並べて表示すると、各画像があまりに小さくなって内容が判りにくくなるので、１つのフォルダの像の上に並べて表示する代表画像の数には上限（例えば４）を設ける。そして、代表画像を上限の数だけ表示し、表示しない代表画像の数をフォルダの像に対応付けて表示する。
【００７６】
図１７に示すように、「ＦＬＤＲ０００１」というフォルダにＰ１〜Ｐ６の画像ファイルが収容されている場合を例にとって、フォルダ・ファイル表示領域５２の表示例を図１６に示す。図１６の（ａ）は、画像ファイルＰ１の画像のみが代表画像として設定されているときのものであり、「ＦＬＤＲ０００１」というフォルダの像に重ねて、画像Ｐ１のみが表示されている。図１６の（ｂ）は、４つの画像ファイルＰ１、Ｐ２、Ｐ４、Ｐ６の画像が代表画像として設定されており、かつ、表示する代表画像の数の上限を２に定めているときのものである。「ＦＬＤＲ０００１」というフォルダの像に重ねて、画像Ｐ１、Ｐ２が並べて表示されており、表示されていない残りの代表画像の数Ｎが、そのフォルダの像の近傍に表示されている。
【００７７】
なお、代表画像の表示順序は、画像ファイルの作成日時に従って定められるが、使用者が変更することもできる。図１６（ｂ）のように、表示されていない代表画像がある場合でも、表示順序を変えることで、表示することが可能である。
【００７８】
メモリカードＭを検索する処理の流れを図１８に示す。まず、指定されたデバイスまたはフォルダにフォルダが含まれているか否かを判定し（ステップ＃６００）。フォルダが
含まれていないときは処理を終了する。指定されたデバイスまたはフォルダにフォルダが含まれているときは、含まれているフォルダの１つについて、像と名前をフォルダ・ファイル表示領域５２に表示する（＃６０２）。次いで、そのフォルダに画像ファイルが収容されているか否かを判定し（＃６０４）、画像ファイルが収容されていなければ、ステップ＃６００に戻って、次のフォルダについてステップ＃６００と＃６０２の処理を行う。
【００７９】
フォルダに画像ファイルが収容されているときは、各画像ファイルのタグに記録されている情報を読み取って、代表画像であることを示す情報が含まれているか否かを判定する（＃６０６）。代表画像を示す情報が含まれていなければ、ステップ＃６００に戻る。いずれかの画像ファイルのタグに代表画像であることを示す情報が含まれているときは、情報が含まれている画像ファイルの数、すなわち代表画像の数が所定数以下であるか否かを判定する（＃６０８）。
【００８０】
そして、代表画像の数が所定数以下のときは、全ての代表画像をステップ＃６０２で表示したフォルダの像に重ねて表示して（＃６１０）、ステップ＃６００に戻る。また、代表画像の数が所定数を超えているときは、所定数の代表画像をフォルダの像に重ねて表示するとともに（＃６１２）、表示しない代表画像の数を表示して（＃６１４）、ステップ＃６００に戻る。
【００８１】
使用者は、検索画面５０（図１５）を表示した状態で、メモリカードＭのフォルダに収容されている画像ファイルが表す画像を表示部４２に表示させることができるし、メモリカードＭのフォルダから画像ファイルを取り込んで記憶部４５に記憶させることもできる。また、メモリカードＭのフォルダから取り込んで記憶部４５に記憶させた画像ファイルの画像を表示部４２に表示させることもできる。
【００８２】
メモリカードＭから、画像を取り込んで記憶部４５に記憶する処理の流れを図１９に示す。まず、図１８に示したメモリカードＭを検索する処理を行う（ステップ＃７００）。そして、フォルダ・ファイル表示領域５２にフォルダを表示している状態で、使用者によるフォルダの指定を受け付け（＃７０２）、指定されたフォルダに収容されている全ての画像ファイルを、記憶部４５の記憶媒体に複写する（＃７０４）。このとき、取り込む画像ファイルを収容しているフォルダと同じ名前のフォルダを作成し、取り込んだ画像ファイルをそのフォルダに収容する。なお、フォルダの指定は、マウスまたはキーボードの操作によって行う。また、取り込んだ画像ファイルの名前や画像ファイルを収容したフォルダの名前は検索画面上で変更することが可能である。
【００８３】
図１９の処理では、フォルダ単位で画像ファイルを取り込むようにしているが、画像ファイルを個別に取り込むようにしてもよい。これは、ステップ＃７０２でフォルダが指定されたときに、そのフォルダに収容されている全ての画像ファイルを表示し、画像ファイルの指定を受け付けて、指定された画像ファイルを記憶部４５に複写することで、実現できる。この場合、上記のように新たなフォルダを作成して、これに画像ファイルを収容するようにしてもよいし、既存のフォルダに画像ファイルを収容するようにしてもよい。
【００８４】
記憶部４５に記憶している画像ファイルの画像を表示する処理の流れを図２０に示す。まず、記憶部４５を検索する処理を行う（ステップ＃８００）。この処理は、図１８に示したメモリカードＭを検索する処理と同様である。次いで、フォルダ・ファイル表示領域５２にフォルダを表示している状態で、使用者によるフォルダの指定を受け付け（＃８０２）、指定されたフォルダに収容されている全ての画像ファイルの像と名前を、フォルダ・ファイル表示領域５２に並べて表示する（＃８０４）。そして、画像ファイルの指定を受け付け（＃８０６）、指定された画像ファイルの画像を表示部４２に表示して（＃８０８）、処理を終了する。なお、ステップ＃８０６での画像の表示は検索画面５０とは別の表示用の画面で行う。
【００８５】
メモリカードＭに記録されている画像ファイルの画像を直接表示する処理も図２０に示した処理とほとんど同じである。相違は、ステップ＃８００でメモリカードＭを検索する点のみである。
【００８６】
パーソナルコンピュータ２で、新たに代表画像を設定したり、代表画像を変更したりすることも可能である。この処理は代表画像指定ダイアログボックスを表示して行う。代表画像指定ダイアログボックスは、前述のように、検索画面５０に表示された代表画像指定ボタン５３を操作することで表示される。
【００８７】
代表画像指定ダイアログボックス６０を図２１に示す。代表画像指定ダイアログボックス６０は、ディレクトリパス表示領域６１、代表画像ファイル名表示領域６２を有する。代表画像ファイル名表示領域６２には、代表画像として指定された画像のファイル名が表示され、ディレクトリパス表示領域６１には、その画像ファイルのディレクトリパスが表示される。
【００８８】
代表画像指定ダイアログボックス６０には、また、参照ボタン６３、追加ボタン６４、削除ボタン６５、ＯＫボタン６６、キャンセルボタン６７、代表画像表示チェックボックス６８、ファイル表示チェックボックス６９、代表画像記憶チェックボックス７０、ソート方法選択領域７１、およびソート方向選択領域７２が表示される。参照ボタン６３は、代表画像とする画像のファイル名を選択するためのダイアログボックスを表示させるボタンである。参照ボタン６３の操作（クリック）によって表示されるファイル名選択ダイアログボックス８０を図２２に示す。
【００８９】
ファイル名選択ダイアログボックス８０は、フォルダ８１ａを表示するフォルダ表示領域８１と、フォルダ表示領域８１の中の選択されたフォルダに含まれているファイルのファイル名８２ａを表示するファイル名表示領域８２を有する。ファイル名選択ダイアログボックス８０には、また、開くボタン８３が表示される。ファイル名表示領域８２に表示されているファイル名を選択（クリック）し、開くボタン８３を操作することで、代表画像を指定することができる。
【００９０】
代表画像指定ダイアログボックス６０（図２１）の追加ボタン６４は、ファイル名選択ダイアログボックス８０で指定した画像を、代表画像ファイル名表示領域６２の表示に加える、つまり、代表画像に加える指示に用いられる。削除ボタン６５は、既に設定されている代表画像を削除する指示に用いられる。代表画像ファイル名表示領域６２に表示されているファイル名を選択し、続いて削除ボタン６５を操作することで、そのファイルの画像が代表画像から除かれる。
【００９１】
ＯＫボタン６６は、代表画像指定ダイアログボックス６０で設定した結果を保存した状態で処理を終了するのに用いられ、キャンセルボタン６７は、設定した結果を保存せずに処理を終了するのに用いられる。ＯＫボタン６６の操作により処理を終了した場合は、設定結果が直ちにパーソナルコンピュータ２に反映され、検索画面５０でフォルダの像に重ねて表示される代表画像が、代表画像指定ダイアログボックス６０で設定したものとなる。
【００９２】
代表画像表示チェックボックス６８は、フォルダの像に重ねて代表画像を表示するか否かの指定に用いられる。使用者は、検索画面５０のフォルダの像に代表画像を重ねて表示するのを望まないときは、このチェックボックスを操作することで、フォルダの像のみの表示とすることが可能である。代表画像記憶チェックボックス７０は、代表画像指定ダイアログボックス６０で設定した代表画像とフォルダとの関係を、ファイルに記録しておくか否かの指定に用いられる。このファイルは、当該フォルダ内に、テキスト形式で作成され、様々なアプリケーションプログラムから参照して利用することができる。
【００９３】
ファイル表示チェックボックス６９は、ファイル名選択ダイアログボックス８０のファイル名表示領域８２に、フォルダ内の全ての画像ファイルのファイル名を表示するか、フォルダ内の画像ファイルのうち代表画像であることを示す情報が記録されているもののみを表示するかの指定に用いられる。ソート方法選択領域７１およびソート方向選択領域７２には、ファイル名選択ダイアログボックス８０のファイル名表示領域８２に、どのような順序でファイル名を表示するかを指定するための項目が表示される。ソート方法選択領域７１には、「属性順」、「名前順」、「日付順」、「サイズ順」、「拡張子順」の５項目が表示され、ソート方向選択領域７２には、「昇順」、「降順」の２項目が表示される。使用者はの任意の項目を選択することができる。
【００９４】
フォルダの像の上に並べて表示する代表画像の順序は、代表画像指定ダイアログボックス６０の代表画像ファイル名表示領域６２に表示されているファイル名の順序である。代表画像ファイル名表示領域６２には、追加ボタン６４の操作により追加された順序でファイル名が表示されていくが、使用者は、代表画像ファイル名表示領域６２上でファイル名を選択して移動させることにより、代表画像ファイル名表示領域６２のファイル名の順序を変えることもできる。したがって、フォルダの像の上に並べて表示する代表画像の順序を変えることができる。一度に表示し得る上限を超える数の代表画像を設定して、表示していない代表画像がある場合でも、この機能により、表示していない代表画像を新たに表示することができる。
【００９５】
代表画像を設定する処理の流れを図２３に示す。まず、代表画像指定ボタン５３の操作により代表画像を設定する指示がなされたか否かを判定し（ステップ＃９００）、指示がなされなければ処理を終了する。代表画像設定の指示がなされたときは、代表画像を設定するための上述の代表画像指定ダイアログボックス６０を表示して（＃９０２）、代表画像の指定を受け付ける（＃９０４）。そして、指定された代表画像に関する情報を記憶して（＃９０６）、処理を終了する。
【図面の簡単な説明】
【００９６】
【図１】第１の実施形態のデジタルカメラの外観を模式的に示す図。
【図２】上記デジタルカメラの構成を模式的に示す図。
【図３】上記デジタルカメラが画像ファイルを記録するメモリカードのフォルダ構成を模式的に示す図。
【図４】上記デジタルカメラの通常撮影モードでの処理の流れを示すフローチャート。
【図５】上記デジタルカメラが使用者からの指示に応じて代表画像を設定するときに表示する画面の例を示す図。
【図６】上記デジタルカメラの使用者からの指示に応じて代表画像を設定する処理の流れを示すフローチャート。
【図７】上記デジタルカメラがアノテーション撮影モードで表示する画面の例を示す図。
【図８】上記デジタルカメラのアノテーション撮影モードでの処理の流れを示すフローチャート。
【図９】上記デジタルカメラがガイド撮影モードで表示する画面の例を示す図。
【図１０】上記デジタルカメラのガイド撮影モードでの処理の流れを示すフローチャート。
【図１１】上記デジタルカメラが再生モードで表示する画面の例を示す図。
【図１２】上記デジタルカメラの再生モードでの処理の流れを示すフローチャート。
【図１３】第２の実施形態のパーソナルコンピュータの外観を模式的に示す図。
【図１４】上記パーソナルコンピュータの構成を模式的に示す図。
【図１５】上記パーソナルコンピュータが表示する検索画面を示す図。
【図１６】上記パーソナルコンピュータが検索画面のフォルダ・ファイル表示領域に表示する像の例を示す図。
【図１７】上記パーソナルコンピュータが検索するフォルダの内容の例を示す図。
【図１８】上記パーソナルコンピュータのメモリカード検索処理の流れを示すフローチャート。
【図１９】上記パーソナルコンピュータの画像ファイル取り込み処理の流れを示すフローチャート。
【図２０】上記パーソナルコンピュータの画像表示処理の流れを示すフローチャート。
【図２１】上記パーソナルコンピュータが代表画像設定のために表示する画面を示す図。
【図２２】上記パーソナルコンピュータがファイル名選択のために表示する画面を示す図。
【図２３】上記パーソナルコンピュータの代表画像設定処理の流れを示すフローチャート。
【符号の説明】
【００９７】
１    デジタルカメラ
２    パーソナルコンピュータ
１１    撮像レンズ
１２ａ、１２ｂ  光学ファインダ窓
１３    セルフタイマーランプ
１４    フラッシュ発光部
１５    カードスロット
１６    ＵＳＢ／ＡＶ出力端子
１７    シャッターレリーズボタン
１８    電源ボタン
１９    表示部
２０    ズームボタン
２１    方向ボタン
２２    決定ボタン
２３    通常撮影ボタン
２４    アノテーション撮影ボタン
２５    ガイド撮影ボタン
２６    再生ボタン
２７    代表画像設定ボタン
２８    操作部
３１    撮像素子
３２    画像処理部
３３    記録部
３５    制御部
３５ａ  ＣＰＵ
３５ｂ  メモリ
４１    パーソナルコンピュータ本体
４２    表示部
４３    制御部
４４    操作部
４５    記憶部
４６    入出力部
４７    接続部
５０    検索画面
５１    ツリー表示領域
５２    フォルダ・ファイル表示領域
５３    代表画像指定ボタン
６０    代表画像指定ダイアログボックス
６１    ディレクトリパス表示領域
６２    代表画像ファイル名表示領域
８０    ファイル名選択ダイアログボックス
８１    フォルダ表示領域
８２    ファイル名表示領域
Ｄ    フォルダ像
Ｆ    画像枠
Ｍ    メモリカード
Ｐ１〜Ｐ６  画像
Ｒ    領域枠
Ｓ    代表画像記号
【図１】
2006135590.tif 000003
【図２】
2006135590.tif 000004
【図３】
2006135590.tif 000005
【図４】
2006135590.tif 000006
【図５】
2006135590.tif 000007
【図６】
2006135590.tif 000008
【図７】
2006135590.tif 000009
【図８】
2006135590.tif 000010
【図９】
2006135590.tif 000011
【図１０】
2006135590.tif 000012
【図１１】
2006135590.tif 000013
【図１２】
2006135590.tif 000014
【図１３】
2006135590.tif 000015
【図１４】
2006135590.tif 000016
【図１５】
2006135590.tif 000017
【図１６】
2006135590.tif 000018
【図１７】
2006135590.tif 000019
【図１８】
2006135590.tif 000020
【図１９】
2006135590.tif 000021
【図２０】
2006135590.tif 000022
【図２１】
2006135590.tif 000023
【図２２】
2006135590.tif 000024
【図２３】
2006135590.tif 000025